(57)【要約】【課題】利用者の不正利用への不安を解消し、商店が多くの取引カードに容易に対応できるカード決済システムを実現する。【解決手段】カード決済システムが、利用者が使用する携帯電話と該携帯電話と相互に通信可能なレジ端末とを備え、レジ端末からカード決済の決済金額を携帯電話に送信し、利用者が携帯電話に取引カードのカード情報を入力してレジ端末へ送信し、レジ端末がカード決済会社のホストコンピュータとの間でカード決済を行う。【選択図】        図１
2004252588.tif 000002
【特許請求の範囲】
【請求項１】
利用者が使用する携帯電話と、該携帯電話と相互に通信可能なレジ端末とを備え、
前記レジ端末からカード決済の決済金額を前記携帯電話に送信し、その送信によって利用者が携帯電話に取引カードのカード情報を入力することを特徴とするカード決済システム。
【請求項２】
請求項１において、
前記レジ端末が、前記携帯電話によって入力された取引カードのカード情報を受信し、該取引カードを発行したカード決済会社に対してカード決済の決済依頼を行い、前記カード決済の決済結果を、前記カード決済会社が前記レジ端末に送信し、該レジ端末がその決済結果を明細票に印刷することを特徴とするカード決済システム。
【請求項３】
請求項２において、
前記携帯電話がカード情報を前記レジ端末に送信するときに、前記携帯電話の携帯電話番号を添付して送信し、前記カード決済会社が音声による決済結果の副本を前記携帯電話番号宛に送信することを特徴とするカード決済システム。
【請求項４】
請求項２において、
前記携帯電話がカード情報を前記レジ端末に送信するときに、前記携帯電話の携帯メールアドレスを添付して送信し、前記カード決済会社が決済結果の副本を前記携帯メールアドレス宛に送信することを特徴とするカード決済システム。
【請求項５】
請求項１において、
前記携帯電話が、前記送信された決済金額と前記入力されたカード情報を基に、前記取引カードを発行したカード決済会社に対して電話通信によってカード決済の決済依頼を行うことを特徴とするカード決済システム。
【請求項６】
請求項５において、
前記カード決済会社が、前記携帯電話の発信者番号通知を取得し、該発信者番号通知によって利用者の正当性を確認することを特徴とするカード決済システム。
【請求項７】
請求項５または請求項６において、
前記カード決済の決済結果を、前記カード決済会社が電話通信によって前記携帯電話に送信し、該携帯電話がその決済結果を前記レジ端末に送信し、前記レジ端末が受信した決済結果を明細票に印刷することを特徴とするカード決済システム。
【請求項８】
請求項７において、
前記レジ端末が、前記携帯電話から受信した決済結果を、前記カード決済会社によって再確認することを特徴とするカード決済システム。
【請求項９】
請求項５または請求項６において、
前記カード決済の決済結果を、前記カード決済会社が前記レジ端末へ送信し、前記レジ端末が受信した決済結果を明細票に印刷することを特徴とするカード決済システム。
【請求項１０】
請求項９において、
前記携帯電話がカード決済の決済依頼を行うときに、前記携帯電話の携帯電話番号を添付して送信し、前記カード決済会社が音声による決済結果の副本を前記携帯電話番号宛に送信することを特徴とするカード決済システム。
【請求項１１】
請求項９において、
前記携帯電話がカード決済の決済依頼を行うときに、前記携帯電話の携帯メールアドレスを添付して送信し、前記カード決済会社が決済結果の副本を前記携帯メールアドレス宛に送信することを特徴とするカード決済システム。
【請求項１２】
利用者が使用する携帯電話と、該携帯電話と相互に通信可能なレジ端末と、前記利用者に取引カードを発行したカード決済会社と、カード決済を仲介する決済プロバイダとを備え、
前記レジ端末からカード決済の決済金額を前記携帯電話に送信し、その送信によって利用者が携帯電話に取引カードのカード情報を入力し、前記決済プロバイダを経由して前記カード決済会社にカード決済の決済依頼を行うことを特徴とするカード決済システム。
【請求項１３】
請求項１２において、
前記取引カードに決済プロバイダのＵＲＬ（Ｕｎｉｆｏｒｍ  Ｒｅｓｏｕｒｃｅ  Ｌｏｃａｔｏｒ）を記録し、該決済プロバイダのＵＲＬを基に決済依頼を行うことを特徴とするカード決済システム。
【請求項１４】
請求項１２または請求項１３において、
前記レジ端末が、前記携帯電話によって入力された取引カードのカード情報を受信し、前記決済プロバイダに決済依頼を行うことを特徴とするカード決済システム。
【請求項１５】
請求項１４において、
前記カード決済の決済結果を、前記カード決済会社が前記レジ端末に送信し、該レジ端末がその決済結果を明細票に印刷することを特徴とするカード決済システム。
【請求項１６】
請求項１５において、
前記携帯電話がカード情報を前記レジ端末に送信するときに、前記携帯電話の携帯電話番号を添付して送信し、前記カード決済会社が音声による決済結果の副本を前記携帯電話番号宛に送信することを特徴とするカード決済システム。
【請求項１７】
請求項１５において、
前記携帯電話がカード情報を前記レジ端末に送信するときに、前記携帯電話の携帯メールアドレスを添付して送信し、前記カード決済会社が決済結果の副本を前記携帯メールアドレス宛に送信することを特徴とするカード決済システム。
【請求項１８】
請求項１５、請求項１６または請求項１７において、
前記カード決済会社が、前記カード決済の決済結果を、前記決済プロバイダを経由して送信することを特徴とするカード決済システム。
【請求項１９】
請求項１２から請求項１７または請求項１８において、
前記携帯電話が、前記送信された決済金額と前記入力されたカード情報を基に、電話通信によって前記決済プロバイダに決済依頼を行うことを特徴とするカード決済システム。
【請求項２０】
請求項１９において、
前記決済プロバイダが、携帯電話の発信者通知番号を取得してカード決済会社へ送信し、前記カード決済会社が、前記発信者番号通知によって利用者の正当性を確認することを特徴とするカード決済システム。
【請求項２１】
請求項１９または請求項２０において、
前記カード決済の決済結果を、前記カード決済会社が電話通信によって前記携帯電話に送信し、該携帯電話がその決済結果を前記レジ端末に送信し、前記レジ端末が受信した決済結果を明細票に印刷することを特徴とするカード決済システム。
【請求項２２】
請求項２１において、
前記レジ端末が、前記携帯電話から受信した決済結果を、前記カード決済会社によって再確認することを特徴とするカード決済システム。
【請求項２３】
請求項１９または請求項２０において、
前記カード決済の決済結果を、前記カード決済会社が前記レジ端末へ送信し、前記レジ端末が受信した決済結果を明細票に印刷することを特徴とするカード決済システム。
【請求項２４】
請求項２３において、
前記携帯電話がカード決済の決済依頼を行うときに、前記携帯電話の携帯電話番号を添付して送信し、前記カード決済会社が音声による決済結果の副本を前記携帯電話番号宛に送信することを特徴とするカード決済システム。
【請求項２５】
請求項２３において、
前記携帯電話がカード決済の決済依頼を行うときに、前記携帯電話の携帯メールアドレスを添付して送信し、前記カード決済会社が決済結果の副本を前記携帯メールアドレス宛に送信することを特徴とするカード決済システム。
【請求項２６】
請求項２１から請求項２４または請求項２５において、
前記カード決済会社が、前記カード決済の決済結果を、前記決済プロバイダを経由して送信することを特徴とするカード決済システム。
【請求項２７】
請求項２から請求項４、請求項７から請求項１１、請求項１４から請求項１８または請求項２０から請求項２６において、
前記カード決済の決済結果の控えを、予め登録されている利用者の電子メールアドレス宛に送信することを特徴とするカード決済システム。
【請求項２８】
請求項１から請求項２６または請求項２７において、
前記携帯電話が、電話通信によって前記カード決済会社からカード決済履歴を取得することを特徴とするカード決済システム。
【請求項２９】
請求項１から請求項２７または請求項２８において、
前記携帯電話が、電話通信によって前記カード決済会社へカード決済成立照会を行うことを特徴とするカード決済システム。
【請求項３０】
請求項１から請求項２８または請求項２９において、
前記携帯電話にカード読取部を設け、前記取引カードのカード情報を読取ってカード情報を入力することを特徴とするカード決済システム。
【請求項３１】
請求項１から請求項２８または請求項２９において、
前記携帯電話に前記取引カードのカード情報を登録し、前記携帯電話が、カード決済を行うときに登録したカード情報を読出してカード情報を入力することを特徴とするカード決済システム。
【請求項３２】
請求項１２から請求項２８または請求項２９において、
前記決済プロバイダに前記取引カードのカード情報を登録し、前記携帯電話が、カード決済を行うときに前記決済プロバイダから登録したカード情報を取得してカード情報を入力することを特徴とするカード決済システム。
【請求項３３】
請求項３２において、
前記決済プロバイダに前記カード決済に利用可能な取引カードの種類を登録し、前記携帯電話が、前記決済プロバイダから前記取引カードの種類を取得し、前記登録したカード情報を基に利用可能な取引カードの一覧表を選択可能に表示することを特徴とするカード決済システム。
【請求項３４】
請求項３１または請求項３２において、
前記携帯電話が、前記レジ端末からカード決済に利用可能な取引カードの種類を受信し、前記登録したカード情報を基に利用可能な取引カードの一覧表を選択可能に表示することを特徴とするカード決済システム。
【請求項３５】
請求項１から請求項３３または請求項３４において、
前記入力した取引カードのカード情報によるカード決済ができないときに、前記携帯電話が、他の取引カードによる再入力を受付けることを特徴とするカード決済システム。
【請求項３６】
請求項１から請求項３３または請求項３４において、
前記携帯電話が、利用者が使用する取引カードの種類をレジ端末に送信し、レジ端末がその利用の可否を確認し、その確認結果を前記携帯電話へ返信することを特徴とするカード決済システム。
【請求項３７】
請求項３６において、
前記利用者が使用する取引カードの種類が利用可能なときに、前記レジ端末が決済金額を共に返信することを特徴とするカード決済システム。
【請求項３８】
請求項１から請求項３６または請求項３７において、
前記携帯電話と前記レジ端末とが、相互に無線通信可能な無線通信部を備えていることを特徴とするカード決済システム。
【請求項３９】
請求項３８において、
前記携帯電話と前記レジ端末との間で無線通信を行うときに、前記レジ端末を前記携帯電話からの送信を待つ着信待状態で待機させることを特徴とするカード決済システム。
【請求項４０】
請求項３８または請求項３９において、
前記携帯電話から前記レジ端末へ接続要求を送信するときに、通信用の通信識別子を添付して送信し、該通信識別子によって通信相手を特定して無線通信を行うことを特徴とするカード決済システム。
【請求項４１】
請求項４０において、
前記携帯電話に光学的読取機能を有するカメラ部を設け、該カメラ部によって前記レジ端末が印刷した印刷物の取引番号を読取り、該取引番号を前記通信識別子として自動入力することを特徴とするカード決済システム。
【請求項４２】
請求項３８または請求項３９において、
前記レジ端末から前記携帯電話への決済金額を送信する時に、通信用の通信識別子を添付して送信し、該通信識別子によって無線通信を行うことを特徴とするカード決済システム。
【請求項４３】
請求項４２において、
前記レジ端末が、商店の会員カードを基に前記レジ端末に予め登録された通信識別子を抽出して自動付与することを特徴とするカード決済システム。
【請求項４４】
請求項４０、請求項４２または請求項４３において、
前記通信識別子が、携帯電話の携帯電話番号であることを特徴とするカード決済システム。
【請求項４５】
請求項４０、請求項４２または請求項４３において、
前記通信識別子が、カード決済のための取引番号であることを特徴とするカード決済システム。
【請求項４６】
商店のレジ端末と相互に通信可能な携帯電話の携帯制御部に、
前記レジ端末からカード決済の決済金額を受信する決済金額受信ステップと、
この受信によって前記携帯電話を使用する利用者が入力した取引カードのカード情報を受付けるカード情報受付ステップと、
前記カード情報を送信するカード情報送信ステップと、
前記カード決済の決済結果を受信する決済結果受信ステップと、
前記送信したカード情報によってカード決済ができないときに、他の取引カードのカード情報の再入力を受付けるカード情報再入力受付ステップとを実行させることを特徴とするカード決済システムの携帯電話のプログラム。
【発明の詳細な説明】
【０００１】
【発明の属する技術分野】
本発明は、利用者が商店で商品を購入し、取引カードによってその代金の支払を行うカード決済システムおよびその携帯電話のプログラムに関する。
【０００２】
【従来の技術】
従来、商品の購入やサービスの提供を受ける店舗（以下、商店という。）における代金のカード決済システムにおいては、利用者がカード決済を行う旨を商店の店員に通知し、クレジットカードやデビットカード、電子マネー用のカード等の取引カードを店員に手渡し、店員はカード決済機に商品等の代金を入力した後に、利用者から預かった取引カードをカード決済機に装填してそのカード情報を読取らせ、カード決済機から銀行や信販会社等のカード決済会社に接続してカード決済の依頼を行う。
【０００３】
カード決済会社はカード決済の結果をカード決済機へ応答し、カード決済機がその結果を明細票に印刷して排出する。
そして、店員はこの明細票と取引カードとを利用者に手渡し、カード決済が終了する（例えば、特許文献１参照。）。
【０００４】
【特許文献１】
特開平１０−１９８７３９号公報（第１２頁
【０００２】−
【００１１】、第４２図）
【０００５】
【発明が解決しようとする課題】
しかしながら、上述した従来のカード決済システムにおいては、取引カードを一旦、商店の店員やレジ係等の係員に手渡す必要があり、カード決済機が店頭に設置されていない場合は、利用者から見えない所でカード決済が行われ、取引外のカード決済の実行やカードの偽造等の不正利用が行われる場合があり、利用者は常にこれらの不安を感じながらカード決済を行わなければならないという問題がある。
【０００６】
また、商店においては、カード決済機が必要であり、例えばＩＣカード等の新たなカードの出現や新たなカード決済方法の出現に対応するために、これらの出現毎に新たなカード決済機の購入や改修を行わなければならないという問題がある。
本発明は、上記の問題点を解決するためになされたもので、利用者の不正利用への不安を解消し、商店が多くの取引カードに容易に対応できるカード決済システムを実現することを目的とする。
【０００７】
【課題を解決するための手段】
本発明は、上記課題を解決するために、カード決済システムが、利用者が使用する携帯電話と該携帯電話と相互に通信可能なレジ端末とを備え、前記レジ端末からカード決済の決済金額を前記携帯電話に送信し、その送信によって利用者が携帯電話に取引カードのカード情報を入力することを特徴とする。
【０００８】
商店のレジ端末と相互に通信可能な携帯電話の携帯制御部に、前記レジ端末からカード決済の決済金額を受信する決済金額受信ステップと、この受信によって前記携帯電話を使用する利用者が入力した取引カードのカード情報を受付けるカード情報受付ステップと、前記カード情報を送信するカード情報送信ステップと、前記カード決済の決済結果を受信する決済結果受信ステップと、前記送信したカード情報によってカード決済ができないときに、他の取引カードのカード情報の再入力を受付けるカード情報再入力受付ステップとを実行させることを特徴とする。
【０００９】
【発明の実施の形態】
以下に、図面を参照して本発明によるカード決済システムの実施の形態について説明する。
第１実施の形態例
図１は本発明の第１実施の形態を示すブロック図である。
【００１０】
１は利用者が使用する携帯電話であり、メール機能や情報サービス機能を有している。
２は携帯制御部であり、携帯電話１の各部を制御する。
３は携帯表示部であり、ＬＣＤ等の表示画面が設けられている。
４は操作部であり、電話番号等を入力するためのテンキーや通話を開始するための通話キー、通話を終了するための終了キーおよび携帯表示部３に表示されたカーソルを移動させる移動キー等の各種の操作キーが設けられている。
【００１１】
５は携帯記憶部であり、携帯制御部２が実行するプログラムや携帯表示部３に表示する各種の画面等が格納されている。
６は送受信部であり、アンテナを介して送受信する電話通信の受信回路と送信回路で構成されており、通話部７に設けられたマイクからの音声入力を受付け、受信した音声信号をスピーカへ出力する。
【００１２】
８はカード読取書込部であり、携帯電話１の側面等に設けられ、取引カードのカード情報等を読み書きする機能を有している。本実施の形態では、取引カードとしてＩＣカードが使用される。
このＩＣカードは、例えばその一の角にデータの記録部が配置され、その表面には記録部の位置を示す記録部マークが表示されている。
【００１３】
また、携帯電話１の側面にはＩＣカードの角が挿抜可能な凹部が設けられ、その凹部にカード読取書込部８の検出部が配置されている。
９は無線通信部であり、赤外線や電磁波等の無線によって近距離のデータ通信を行う機能を有している。
１１は商店に設置されたカード決済機やパーソナルコンピュータ等のレジ端末であり、商店の係員が使用する。
【００１４】
１２はレジ制御部であり、レジ端末の各部を制御する。
１３はレジ表示部であり、ＬＣＤ等の表示画面が設けられている。
１４は入力部であり、商品の代金等を入力するためのテンキーや各種の操作キーが設けられている。
１５はレジ記憶部であり、レジ制御部１２が実行するプログラムやレジ表示部１３に表示する入力画面等が格納されている。
【００１５】
１６は通信部であり、プロトコルの変換を行う機能を有している。
１７は印刷部であり、利用者とのカード決済の内容を記載した明細票等を印刷して排出する。
１８は無線通信部であり、赤外線や電磁波等の無線によって近距離のデータ通信を行う機能を有しており、利用者の携帯電話１の無線通信部９との間で相互にデータ通信を行う。
【００１６】
なお、レジ端末１１は、通常のカード読取書込部を有するカード決済機に無線通信部１８を設けるように改修して用いるようにしてもよい。
また、それぞれの無線通信部９および１８を互いのデータをそれぞれの制御部が利用できるデータに変換する機能を有する有線による接続部として設けるようにしてもよい。
【００１７】
２１は銀行、信販会社（クレジット会社）もしくは証券会社等のカード決済会社に設けられたホストコンピュータであり、利用者の取引カードのカード情報や暗証番号および利用者の氏名、携帯電話番号、自宅のパーソナルコンピュータ等の電子メールアドレス等の顧客情報を格納した顧客ファイルを保有しており、専用回線や共同ネットワーク等の決済ネットワーク２２によって商店のレジ端末１１とデータの送受可能に接続している。
【００１８】
なお、接続においてはプロトコルの変換を行うゲートウェイ装置やセキュリティ対応を行うファイアオール等が適所に配置されている。
上述した構成の作用について説明する。
本実施の形態においては、カード決済会社は主には信販会社であり、商店は予めカード決済会社との間でカード決済システムの利用に関する契約を行い、商店のレジ端末１１は決済ネットワーク２２との接続が許可されている。
【００１９】
また、カード決済会社はＩＣカードによるクレジットカードやデビットカード等の取引カードを発行しており、その取引カードの記録部にカード識別記号や利用者の口座を管理する金融機関の名称、科目、口座番号等の口座情報等のカード情報をそのコード等によって記録して利用者に供給している。
なお、決済ネットワーク２２とレジ端末１１の接続は、チェーン展開されているチェーン店や商店街等の複数の商店を統括する本部に設置された本部サーバを経由して接続するようにしてもよい。
【００２０】
利用者が取引カードを用いて商店で購入する商品の代金（以下、商品代金という。）のクレジットカードでのカード決済を行うときの作動について、図２、図３に示すカード決済処理の流れを示す説明図を用い、ステップに従って説明する。
なお、ステップ名は携帯電話１の場合をＳＫで、レジ端末１１の場合をＳで、ホストコンピュータ２１の場合をＳＨで表す。
【００２１】
Ｓ１、利用者からの商品代金のカード決済の依頼を受けた商店の係員は、レジ端末１１のレジ表示部１３に表示されている業務選択画面からカード決済を選択する。
Ｓ２、レジ制御部１２は、レジ記憶部１５に格納されている商品代金入力画面をレジ表示部１３に表示し、係員は入力部１４によって商品代金や消費税等の決済金額を入力する。
【００２２】
なお、消費税等は、レジ制御部１２が自動的に算出して加算するようにしてもよい。
ＳＫ１、一方、係員にカード決済を依頼した利用者は、携帯電話１を無線接続モードに切替え、これを検知した携帯電話１の携帯制御部２は決済金額等を問合せるために無線通信部９によってレジ端末１１へ決済金額の送信要求としての接続要求を送信する。
【００２３】
Ｓ３、カード決済の選択を検知したレジ端末１１のレジ制御部１２は、利用者の携帯電話１からの送信を待つ着信待状態で待機し、無線通信部１８によって携帯電話１からの接続要求を受信したことを契機としてステップＳ４へ移行する。
Ｓ４、係員の決済金額の入力を認識したレジ制御部１２は、取引日時、取引店名とそのコード、商品名とそのコードおよび決済金額等によって請求情報を作成し、その商店でカード決済に利用可能な取引カードの種類を添付して無線通信部１８によって利用者の携帯電話１へ送信する。
【００２４】
ＳＫ２、無線通信部９によって請求情報等を受信した携帯制御部２は、携帯表示部３の画面に図４に示す請求情報画面を表示する。
請求情報画面には、取引店名とそのコード、取引日時、決済金額、利用可能な取引カードの種類等およびカード決済等を取止めることが可能なことを示す「取消」表示、確認入力が必要なことを示す「ＯＫ」表示等が表示される。
【００２５】
利用者は、表示された決済金額や利用可能な取引カードの種類等を確認して操作部４の「ＯＫ」表示に相当する操作キー（以下、ＯＫキーという。）、例えば終了キーを押下する。
利用者が表示された利用可能な取引カードを持参していない等の理由によってカード決済を中止する場合は、操作部４の「取消」表示に相当する操作キー（以下、取消キーという。）、例えば通話キーを押下する。
【００２６】
なお、上記のキー操作においては、携帯表示部３の画面で「ＯＫ」または「取消」を選択し、操作部４の実行キーに相当する操作キーを押下するようにしてもよい。
これを検知した携帯制御部２はその旨をレジ端末１１に送信して無線通信を遮断し、携帯電話１の携帯表示部３に通常の初期画面を表示して待機する。
【００２７】
利用者がカード決済を中止した旨を受信したレジ制御部１２は、その旨をレジ表示部１３に表示して無線通信を遮断し、係員がこれを確認したことを確認してカード決済を終了させ、ステップＳ１へ戻ってレジ表示部１３に業務選択画面を表示して待機する。
ＳＫ３、ＯＫキーが押下された信号を検知した携帯制御部２は、携帯表示部３に図５に示す取引カードのカード情報の入力を促す旨とその操作方法および「ＯＫ」表示、「取消」表示等を表示したカード情報入力画面を表示する。
【００２８】
利用者はこれに従って、携帯電話１の凹部に持参した利用可能な取引カードを挿入してＯＫキーを押下する。
ＯＫキーが押下された信号を検知した携帯制御部２は、カード読取書込部８によって取引カードのカード情報を読取り、カード情報の入力が行われる。
なお、取消キーが押下された場合は、上記ステップＳＫ２と同様である。
【００２９】
ＳＫ４、取引カードのカード情報を認識した携帯制御部２は、携帯表示部３に図６に示す入力された取引カードの種類とそのカード識別記号および利用者を確認するための暗証番号の入力を促す旨とその入力欄、並びに「取消」表示、「ＯＫ」表示等を表示した暗証番号入力画面を表示する。
利用者はこれに従って、操作部４のテンキーによって暗証番号を入力してＯＫキーを押下する。
【００３０】
なお、取消キーが押下された場合は、上記ステップＳＫ２と同様である。
ＳＫ５、暗証番号を認識した携帯制御部２は、携帯表示部３に図７に示すカード決済を実行する旨および「ＯＫ」表示を表示した決済確認画面を表示する。
利用者は、表示された内容を確認してＯＫキーを押下し、カード決済の実行を確認する。
【００３１】
ＯＫキーが押下された信号を検知した携帯制御部２は、取引カードのカード情報に暗証番号および携帯電話１の携帯メールアドレス等を添付して無線通信部９によってレジ端末１１へ送信する。
なお、送信するカード情報等はカード決済会社等との取り決めに従い、特定の項目または全ての項目を暗号化して送信するようにしてもよい。
【００３２】
Ｓ５、携帯電話１からの送信を待つ着信待状態で待機していたレジ制御部１２は、カード情報等の着信を契機としてステップＳ６へ移行する。
Ｓ６、カード情報等を受信したレジ制御部１２は、受信確認を無線通信部１８によって携帯電話１へ送信する。
ＳＫ６、レジ端末１１からの受信確認を受信した携帯制御部２は、携帯表示部３に図８に示すカード決済を受付けた旨、しばらくの待機を促す旨とその後の処置および「ＯＫ」表示を表示した待機依頼画面を表示する。
【００３３】
利用者は、表示された内容を確認してＯＫキーを押下し、しばらくの間待機する。
Ｓ７、受信確認の送信を終えたレジ制御部１２は、決済金額や商店コードおよび利用者のカード情報と暗証番号、携帯メールアドレス等により決済依頼を作成し、通信部１６によって決済ネットワーク２２を経由して接続子Ａを介して接続する取引カードを発行した信販会社であるカード決済会社の図３に示すホストコンピュータ２１のステップＳＨ１へ決済依頼を送信する。
【００３４】
ＳＨ１、ホストコンピュータ２１は決済依頼を受信する。
ＳＨ２、決済依頼を受信したホストコンピュータ２１は、クレジットカードによるカード決済を実行する。
すなわち、ホストコンピュータ２１は、決済依頼に含まれるカード識別記号等を基に顧客ファイルの顧客情報を検索して該当する顧客情報から利用者が登録した暗証番号を抽出し、受信した暗証番号と登録されている暗証番号との一致を照合して利用者を顧客と認証する。
【００３５】
利用者を顧客と認証したホストコンピュータ２１は、決済金額を利用者への貸出金として該当する顧客情報に格納し、商店コード等によって商店の顧客情報を抽出して決済金額を格納してカード決済を行う。
ＳＨ３、カード決済の実行が終了すると、ホストコンピュータ２１は決済結果をカード決済履歴として該当する利用者の顧客情報に格納すると共に、カード決済を終了した旨を決済結果として決済ネットワーク２２を経由して接続子Ｂを介して接続する図２に示すレジ端末１１のステップＳ８へ送信する。
【００３６】
暗証番号が一致しない場合や顧客の利用金額が貸出限度額を超えている等の送信されたカード情報によってはカード決済ができない場合は、決済不可の旨にその理由等を添付し、これを決済結果としてレジ端末１１へ送信する。
これと同時に、ホストコンピュータ２１は携帯電話１の携帯メールアドレス宛に電話通信によって接続子Ｂを介して接続する図２に示す携帯電話１のステップＳＫ７へ決済結果の副本を送信する。
【００３７】
また、顧客情報に登録されている利用者の自宅の電子メールアドレス宛に決済結果の控えを送信する。
なお、決済結果の副本の送信は、ステップＳＫ５において携帯制御部２が携帯電話番号を添付して送信するようにし、ホストコンピュータ２１が合成音声等の音声によって携帯電話１へ送信するようにしてもよい。
【００３８】
また、決済結果の控えの送信は、カード決済会社と利用者の契約の際に、その必要性を選択するようにしてもよい。
Ｓ８、レジ端末１１のレジ制御部１２は、通信部１６によって決済結果を受信する。
Ｓ９、レジ制御部１２は、受信した決済結果がカード決済を終了した旨であればステップＳ１０へ移行し、決済結果が決済不可の旨であれば接続子Ｄを介してステップＳ５戻り、携帯電話１からの送信を待つ着信待状態で待機する。
【００３９】
なお、決済結果が決済不可の場合にその旨の結果を携帯電話１へ表示するようにしてもよい。
Ｓ１０、レジ制御部１２は、印刷部１７によって取引カードの種類やカード識別記号、取引店名とそのコード、取引日時、決済金額等の取引明細を記載した明細票を印刷して排出し、係員がこれを受取ったことを確認して携帯電話１との無線通信を遮断し、ステップＳ１へ戻ってレジ表示部１３に業務選択画面を表示して待機する。
【００４０】
商店の係員は排出された明細票を利用者に手渡し、商品代金のカード決済が終了する。
ＳＫ７、一方、携帯電話１の携帯制御部２は、送受信部６によって決済結果の副本を受信する。
ＳＫ８、携帯制御部２は、受信した決済結果がカード決済を終了した旨であればステップＳＫ９へ、決済結果が決済不可の旨であればステップＳＫ１０へ移行する。
【００４１】
ＳＫ９、携帯制御部２は、携帯表示部３に図９に示すカード決済が終了した旨、取引明細および「ＯＫ」表示を表示した決済結果通知画面を表示する。
利用者は表示された内容を確認してＯＫキーを押下する。
ＯＫキーが押下されたことを検知した携帯制御部２は、カード読取書込部８によってＩＣカードである取引カードに取引履歴等を書込み、ステップＳＫ１２へ移行する。
【００４２】
ＳＫ１０、携帯制御部２は携帯表示部３に図１０に示す決済依頼が不許可になった旨とその理由、再度カード情報の入力を行うか否かの問合せの旨および「ＯＫ」表示、「取消」表示等を表示した決済不許可画面を表示する。
利用者は他の取引カードによってカード決済を実行するときはＯＫキーを、カード決済を中止するときは取消キーを押下する。
【００４３】
ＳＫ１１、携帯制御部２は、取消キーが押下された信号を検知した場合はステップＳＫ１２へ移行する。
ＯＫキーが押下された信号を検知した場合は、接続子Ｃを介して接続するステップＳＫ３へ分岐して図５に示すカード情報入力画面を表示し、利用者は他の取引カードを用いて再入力し、上記の作動を繰返す。
【００４４】
この場合に、ステップＳＫ２へ分岐して請求情報画面を再度表示して利用者に利用できるカードの種類や決済金額を確認させるようにしてもよい。
ＳＫ１２、上記ステップＳＫ２で説明した取消キーが押下された場合と同様であるので、その説明を省略する。
なお、上記ステップＳＫ１０において、利用者が取消キーを押下してカード決済を終了させた場合は、利用者は現金による決済を行う等によって商品代金の決済を終了させる。
【００４５】
また、カード決済会社のホストコンピュータ２１に蓄積された利用者の貸出金や商店の決済金額は、後日、定期的にまたは必要に応じて利用者の口座を管理する金融機関によって利用者の口座から引落され、商店の口座へ入金されて清算される。
以上説明したように、本実施の形態では、取引カードのカード情報の入力を利用者が使用する携帯電話によって行うようにしたことによって、第３者の不正利用を未然に防止することができると共に利用者の不安感を解消して安心感のあるカード決済を行うことができる。
【００４６】
また、携帯電話にカード情報を入力し、これをレジ端末へ送信するようにしたことによって、商店では新たなレジ端末等を導入せずに新たなカードへの対応が可能となり、多くの取引カードへの対応を容易に行うことができる。
更に、携帯電話とレジ端末との間の通信を直接行うようにしたことによって、利用者は決済に伴う携帯電話の通話料金を支払う必要がなくなり、利用者の負担を軽減することができる。
【００４７】
更に、携帯電話とレジ端末との間の通信を無線通信とすることによって、例えば飲食店等における決済の場合に、レジカウンタによらず着席した場所から料金の決済を行うことができ、レジカウンタ等での待ち時間を短縮して利用者の利便性を向上することができる。
更に、ホストコンピュータが決済結果を送信する際に、同時に決済結果の控を予めカード決済会社に登録されている利用者の自宅のパーソナルコンピュータ等の電子メールアドレスへ送信するようにしたことによって、不正利用による決済が発生した場合においても早期に対処することが可能となり、不正利用の拡大を未然に防止することが可能になる。
【００４８】
更に、レジ端末が携帯電話からの着信待状態で待機するようにしたことによって、利用者の携帯電話からの送信を即座に受付けることが可能となり、カード決済処理の業務効率を向上することができる。
更に、利用者が入力した取引カードのカード情報によるカード決済ができないときに、携帯電話によって他の取引カードによるカード情報の再入力を受付けるようにしたことによって、カード決済処理を最初からやり直す必要がなくなり、利用者の利便性を向上することができると共にカード決済処理の業務効率を向上することができる。
【００４９】
以上に加えて、ホストコンピュータが決済結果を送信する際に、同時に決済結果の副本を携帯メールアドレスや携帯電話番号宛に電話通信によって送信するようにしたことによって、利用者はカード決済の実行結果の確認や不正利用に対するチェックを行うことができ、決済に対する安心感を増すことができる。
この場合に、利用者が独自にまたはカード決済不可の旨を係員から連絡されたときに、携帯電話による電話通信によってカード決済会社へカード決済照会を行うようにしてもよい。これによって利用者が必要なときのみ電話通信を行うことができ、利用者の通話料金の負担を軽減することができる。
【００５０】
また、決済依頼をレジ端末から送信し、その決済結果をレジ端末へ送信するようにしたことによって、既存のカード決済システムを利用することができ、決済データの送受信の安全性や安定性が高まると共に、カード決済システムの早期の実現に貢献することができる。
更に、携帯端末にカード読取書込部を設けて取引カードのカード情報を読取って入力するようにしたことによって、既存の取引カードを使用することが可能となり、カード決済システムの早期の実現に貢献することができる。
【００５１】
なお、本実施の形態では、ステップＳＫ９においてカード読取書込部によって取引カードに取引履歴等を書込むとして説明したが、取引履歴の確認は利用者が必要に応じて携帯電話による電話通信によってカード決済会社に接続してカード決済履歴を取得するようにしてもよい。これによってカード読取書込部は、読取専用のカード読取部とすることができ、携帯電話の簡素化を図ることができる。
【００５２】
このことは磁気カードによる取引カードを使用する場合に特に有効である。
また、携帯電話の側面等にカード読取書込部の検出部が配置された凹部が設けられているとして説明したが、ＩＣカードの記録部に記録されたカード情報を読取るための部位は、側面に限らず操作部を設ける前面であっても裏面であってもよい。
【００５３】
更に、ＩＣカードは接触型に限らず、非接触型のＩＣカードであってもよい。この場合にカード読取書込部の検出部は、携帯電話のどの位置に配置するようにしてもよく、検出部が配置された位置を示す検出部マークを表示するようにしてもよい。
更に、取引カードはＩＣカードに限らず、磁気カードであってもよい。この場合にカード読取書込部の検出部は、携帯電話の側面、前面または裏面にスリット状の読取溝を設けて配置し、カード情報の読取は取引カードを読取溝に沿わせて移動させ、カード情報を読取るようにする。
【００５４】
更になお、本実施の形態においては、レジ端末が携帯電話からの送信を待つ着信待状態で待機するとして説明したが、ステップＳＫ１において利用者が携帯電話を無線接続モードに切替えた際に、携帯電話がレジ端末からの送信を待つ着信待状態で待機するようにし、ステップＳ１で係員がレジ端末の業務選択画面からカード決済を選択した際、またはステップＳ４でレジ端末１１が決済金額等の請求情報を送信する際に携帯電話と接続するようにしてもよい。
【００５５】
また、他の利用者との混信が懸念される場合には、指向性の強い無線の送信によってそれぞれの受信部に向けて送信するようにしてもよく、上記した接続用コネクタ等を有する接続部を備えた有線によってデータの送受を行うようにしてもよい。
第２実施の形態例
図１１は第２実施の形態を示すブロック図である。
【００５６】
なお、上記第１実施の形態例と同様の部分は、同一の符号を付してその説明を省略する。
２５は受付サーバであり、携帯電話１間の接続等のサービスを行う携帯中継会社に設置されており、携帯電話１からの電話通信を受付けてインターネットまたは専用回線からなる通信回線２６によって携帯電話１の電話通信をカード決済会社のホストコンピュータ２１に接続する機能を有している。
【００５７】
なお、本実施の形態においては、携帯電話１のカード読取書込部８は省略されている。
上記の構成の作用について説明する。
本実施の形態おいては、商店は上記第１実施の形態例と同様にカード決済会社との間でカード決済システムの利用に関する契約を行っている。
【００５８】
また、カード決済会社は、取引カードを発行して通常の利用に供するために取引カードを利用者に供給すると共に、利用者の携帯電話１の携帯記憶部５に利用者に供給した取引カードのカード情報を登録している。
利用者が取引カードを用いて商品代金のカード決済を行うときの作動について、図１２、図１３に示すカード決済処理の流れを示す説明図を用い、ステップに従って説明する。なお、ステップ名は第１実施の形態例と同様である。
【００５９】
Ｓ２１、上記第１実施の形態例のステップＳ１と同様であるので、その説明を省略する。
ＳＫ２１、係員にカード決済を依頼した利用者は、携帯電話１を無線接続モードに切替え、これを検知した携帯電話１の携帯制御部２は、携帯記憶部５に格納されている携帯電話番号を通信識別子とし、これに決済金額の送信要求を添付した接続要求を無線通信部９によってレジ端末１１へ送信する。
【００６０】
Ｓ２２、Ｓ２３、第１実施の形態例のステップＳ２、Ｓ３と同様であるので、その説明を省略する。
Ｓ２４、係員の決済金額の入力を認識したレジ制御部１２は、受信した通信識別子に対応させて入力された決済金額等をレジ記憶部１５に保存し、第１実施の形態例のステップＳ４と同様にして請求情報を作成し、通信識別子に請求情報等を添付して無線通信部１８によって携帯電話１へ送信する。
【００６１】
ＳＫ２２、無線通信部９によって請求情報等を受信した携帯制御部２は、通信識別子によって自他を区別し、他の通信識別子であればその送信を無視する。
通信識別子が一致すれば、第１実施の形態例のステップＳＫ２と同様にして携帯表示部３の画面に図４に示す請求情報画面を表示し、利用者はＯＫキーを押下する。
【００６２】
ＳＫ２３、利用者が請求情報を確認してＯＫキーを押下した信号を検知した携帯制御部２は、携帯記憶部５に登録されているカード情報を読出してカード識別記号等によって取引カードの種類を判定し、これを基に請求情報に添付されている利用可能な取引カードの種類を参照して利用可能および利用できない取引カードを区別する。
【００６３】
取引カードを区別した携帯制御部２は、携帯表示部３に図１４に示す取引カードの選択を促す旨と決済に利用できない取引カードの種類および「ＯＫ」表示、「取消」表示等を表示すると共に、利用可能な取引カードの種類とそのカード識別記号の一覧表を選択可能に表示したカード情報入力画面を表示する。
利用者はこれに従って、携帯電話１の操作部４の選択項目を図１４に破線で示すカーソルを移動キーによって移動させて利用する取引カードを選択し、ＯＫキーを押下してカード情報を入力する。本実施の形態ではクレジットカードである△△カードが選択される。
【００６４】
なお、取消キーが押下された場合は、上記第１実施の形態例のステップＳＫ２と同様である。
ＳＫ２４、第１実施の形態例のステップＳＫ４と同様であるので、その説明を省略する。
ＳＫ２５、暗証番号を認識した携帯制御部２は、請求情報や取引カードのカード情報とその暗証番号、携帯電話１の携帯メールアドレス等により決済依頼を作成し、必要に応じて特定の項目または全ての項目を暗号化し、これを送受信部６による電話通信よって発信し、携帯中継会社の受付サーバ２５がこれを受信し、通信回線２６によって接続子Ａを介して接続する図３に示すカード決済会社のホストコンピュータ２１のステップＳＨ１へ送信する。
【００６５】
決済依頼の送信を終えた携帯制御部２は、携帯表示部３に図１５に示す決済依頼を実行した旨とその後の処置および「ＯＫ」表示を表示した待機依頼画面を表示し、利用者にしばらくの間の待機を促す。
利用者は、表示された内容を確認してＯＫキーを押下して待機する。
その後のホストコンピュータ２１におけるカード決済の実行は、第１実施の形態例のステップＳＨ１〜ＳＨ３と同様であるので、その説明を省略する。
【００６６】
なお、本実施の形態においては、ステップＳＨ３で送信される決済結果は、レジ端末１１へではなく、携帯電話１の携帯メールアドレス宛に電話通信によって接続子Ｂを介して接続する図１２に示す携帯電話１のステップＳＫ２６へ送信される。なお、決済結果をウェブチャット等で返信するようにしてもよい。
このため、携帯メールアドレス宛の決済結果の副本の送信は省略される。
【００６７】
ＳＫ２６、携帯電話１の携帯制御部２は、送受信部６によって決済結果を受信する。
ＳＫ２７、携帯制御部２は、携帯表示部３に図１６に示す決済結果をレジ端末１１へ転送する旨と明細票の受取りを促す旨および「ＯＫ」表示等を表示した明細票受取依頼画面を表示する。
【００６８】
利用者は表示された内容を確認してＯＫキーを押下し、これを検知した携帯制御部２は無線通信部９によって通信識別子に決済結果を添付してレジ端末１１へ決済結果を転送する。
Ｓ２５、携帯電話１からの送信を待つ着信待状態で待機していたレジ制御部１２は、無線通信部１８による決済結果の受信を契機としてステップＳ２６へ移行する。
【００６９】
Ｓ２６、レジ制御部１２は、通信識別子によって利用者を特定してその決済金額等を抽出し、受信した決済結果の決済金額等と比較して確認する一方、決済結果に含まれる利用者の取引カードのカード識別記号等によってカード決済を実行したカード決済会社を特定し、通信部１６によって決済ネットワーク２２を経由して接続子Ｅを介して接続する図１３に示すホストコンピュータ２１のステップＳＨ２１へ決済結果を添付した決済照会を送信する。
【００７０】
ＳＨ２１、ホストコンピュータ２１は決済照会を受信する。
ＳＨ２２、決済照会を受信したホストコンピュータ２１は、決済結果の照合を実行する。
すなわち、ホストコンピュータ２１は、添付されている決済結果に含まれるカード識別記号等を基に顧客ファイルの顧客情報を検索して該当する顧客情報を特定し、取引日時等によって該当する決済履歴を抽出して受信した決済結果と格納されている決済履歴の決済結果との一致を照合する。
【００７１】
ＳＨ２３、決済結果照合の実行が終了すると、ホストコンピュータ２１は決済結果の照合の一致または不一致の旨を照合結果として決済ネットワーク２２を経由して接続子Ｆを介して接続する図１２に示すレジ端末１１のステップＳ２７へ送信する。
Ｓ２７、レジ端末１１のレジ制御部１２は、通信部１６によって照合結果を受信する。
【００７２】
Ｓ２８、レジ制御部１２は、照合結果が一致の旨であればカード決済の終了を確認してステップＳ２９へ移行し、照合結果が不一致の旨であれば決済不可として接続子Ｄを介してステップＳ２５に戻り、携帯電話１からの送信を待つ着信待状態で待機する。
その後のステップＳ２９およびステップＳＫ２８〜ＳＫ３２の作動は、第１実施の形態例のステップＳ１０およびステップＳＫ８〜ＳＫ１２の作動と同様であるので、その説明を省略する。
【００７３】
なお、本実施の形態においてはカード読取書込部８省略されているため、ステップＳＫ２９に相当する第１実施の形態例のステップＳＫ９において実行される取引カードへの取引履歴の書込は省略される。
利用者が取引履歴の確認を行う必要がある場合は、携帯電話による電話通信によってカード決済会社に接続してカード決済履歴を取得する。
【００７４】
また、カード決済の清算等は上記第１実施の形態例と同様に行われる。
以上のように、本実施の形態においては、第１実施の形態例の効果に加えて、利用者が電話通信によって直接決済依頼を送信するようにしたことによって、不正利用に対する不安感を一掃することができる。
また、取引カードのカード情報を事前に携帯電話の携帯記憶部に登録し、これを携帯電話がカード決済を行うときに登録したカード情報を読出して入力するようにしたことによって、携帯電話へのカード読取書込部の設置を省略でき、携帯電話の簡素化を図ることができると共に、取引カードの種類やカード情報の読取方法に依存しないカード決済システムを得ることが可能になる。
【００７５】
このことは、カード決済システムの開発に伴う費用を抑制してカード決済システムの早期の実現および利用の普及に貢献することができる。
なお、携帯電話にＩＣカードのＩＣチップと同様の内蔵ＩＣチップを設け、この内蔵ＩＣチップに利用者が所有する取引カードのカード情報をカード決済会社等との契約時に記録するようにし、ステップＳＫ２３においてカード情報の入力する際に、記録された取引カードのカード情報を読出して入力するようにしてもよい。
【００７６】
これによって、携帯電話にカード情報を登録する際の登録作業を容易に行うことができる。
更に、利用者がカード情報の入力を行う際に、レジ端末から送信された利用可能な取引カードの種類により携帯電話が自動的に利用可能な取引カードの一覧表を選択可能に表示するようにしたことによって、利用者の取引カードの選択ミスを防止することができると共にカード情報の入力操作の操作性を向上することができる。
【００７７】
以上に加えて、利用者が決済結果を受信して事前に確認するようにしたことによって、利用者のカード決済に対する安心感を更に高めることができる。
また、携帯電話からの決済結果の転送を受信したレジ端末が、カード決済を実行したカード決済会社へ決済照会を送信して決済結果の再確認を行うようにしたことによって、商店によるカード決済の正当性の確認が可能となる。
【００７８】
なお、本実施の形態においては、携帯電話からの決済結果の転送を受信したレジ端末が決済結果の再確認を行うとして説明したが、ステップＳ２６において受信した決済結果と送信した請求情報の決済金額や取引日時等によって、カード決済の正当性を確認するようにし、カード決済会社への決済照会処理を省略するようにしてもよい。
【００７９】
この場合に、ステップＳＫ２６においてにカード決済会社から決済結果に電子署名情報を加えるようにしてカード決済会社への決済照会処理を省略するようにしてもよい。
これによって、カード決済会社のホストコンピュータの負荷を軽減することができると共に、レジ端末を決済ネットワークに接続することを省略でき、より簡素な構成でカード決済システムを構築することができる。
【００８０】
更になお、本実施の形態においては、携帯電話が接続要求を送信するとき、同時に通信用の通信識別子として携帯電話番号を送信するとして説明したが、以下に示す態様によって通信識別子を設定するようにし、以後の無線通信はこの通信識別子によって行うようにしてもよい。
実施の態様１、レジ端末が、ステップＳ２４において決済金額等の請求情報を送信するときに、カード決済のための請求書等に付与する伝票番号、その商店の全ての決済取引の通し番号またはカード決済にのみ付与する通し番号等等の取引番号を採番し、これを通信識別子として送信する。
【００８１】
実施の態様２、利用者が携帯電話に予め登録した個別番号や携帯電話番号等をメモにして係員に手渡し、ステップＳ２２において係員がこれを入力し、これをステップＳ２４において決済金額等の請求情報を送信するときに、通信識別子として送信する。
実施の態様３、商店が発行する会員カードを利用者が持参し、この会員カードを係員に手渡し、ステップＳ２２において係員が会員カードの会員番号等を入力または会員カードを読取って入力し、レジ端末が入力された会員番号等を基に予めレジ端末のレジ記憶部に登録されている携帯電話番号や個別番号等の通信接続子を抽出して自動付与し、これをステップＳ２４において決済金額等の請求情報を送信するときに、通信識別子として送信する。
【００８２】
このように、通信識別子によって携帯電話やレジ端末が無線通信の発信元を特定するようにしたことによって、複数の利用者が同時にカード決済を行うことが可能となり、カード決済処理の業務効率を向上することができる。
第３実施の形態例
本実施の形態のカード決済システムの構成は図１１に示す第２実施の形態のカード決済システムの構成と同様であるので、同一の符号を付してその説明を省略する。
【００８３】
上記の構成の作用について説明する。
本実施の形態においては、第２実施の形態例と同様に商店はカード決済会社と契約を行い、利用者は携帯電話１に取引カードのカード情報を登録している。
利用者が取引カードを用いて商品代金のカード決済を行うときの作動について、図１７に示すカード決済処理の流れを示す説明図を用い、ステップに従って説明する。なおステップ名は第１実施の形態例と同様である。
【００８４】
Ｓ４１、上記第１実施の形態例のステップＳ１と同様にして係員はカード決済を選択する。
Ｓ４２、カード決済が選択されたことを検知したレジ制御部１２は、このカード決済のために、上記実施の態様１で示した取引番号を採番し、この取引番号を表示した商品代金入力画面をレジ表示部１３に表示し、係員は入力部１４によって商品代金や消費税等の決済金額を入力する。
【００８５】
係員の決済金額の入力を認識したレジ制御部１２は、取引日時、取引店名とそのコード、商品名とそのコード、決済金額およびその商店でカード決済に利用可能な取引カードの種類等の請求情報を作成し、これを取引番号と対応させてレジ記憶部１５に格納する。
係員は、利用者にこのカード決済に使用する通信識別子として取引番号を連絡する。
【００８６】
ＳＫ４１、一方、係員から通信識別子としての取引番号を受取った利用者は、携帯電話１の操作部４のテンキー等を用いて通信識別子として取引番号を登録し、携帯電話１を無線接続モードに切替える。
これを検知した携帯電話１の携帯制御部２は、無線通信部９によってレジ端末１１へ取引番号に決済金額の送信要求を添付した接続要求を送信する。
【００８７】
Ｓ４３、請求情報の格納を終え、携帯電話１からの送信を待つ着信待状態で待機していたレジ端末１１のレジ制御部１２は、無線通信部１８によって携帯電話１からの接続要求を受信したことを契機としてステップＳ４４へ移行する。
Ｓ４４、レジ制御部１２は、受信した取引番号によってレジ記憶部１５に格納されている請求情報を検索して該当する請求情報を抽出し、取引番号に請求情報とその商店でカード決済に利用可能な取引カードの種類を添付して携帯電話１へ送信する。
【００８８】
ＳＫ４２、無線通信部９によって請求情報等を受信した携帯制御部２は、通信識別子としての取引番号によって自他を区別し、第２実施の形態例のステップＳＫ２２と同様にして携帯表示部３の画面に図４に示す請求情報画面を表示し、利用者はＯＫキーを押下する。
ＳＫ４３、ＳＫ４４、第２実施の形態例のステップＳＫ２３、ＳＫ２４と同様であるので、その説明を省略する。
【００８９】
ＳＫ４５、暗証番号を認識した携帯制御部２は、第２実施の形態例のステップＳＫ２５と同様にして決済依頼を作成し、これに取引番号を添付して送受信部６による電話通信よって携帯中継会社の受付サーバ２５、通信回線２６を経由して接続子Ａを介して接続する図３に示すカード決済会社のホストコンピュータ２１のステップＳＨ１へ送信する。
【００９０】
決済依頼の送信を終えた携帯制御部２は、携帯表示部３に第２実施の形態例で示した図１５に示す待機依頼画面を表示して利用者にしばらくの間の待機を促し、利用者は表示された内容を確認してＯＫキーを押下して待機する。
その後のホストコンピュータ２１におけるカード決済の実行は、第１実施の形態例のステップＳＨ１〜ＳＨ３と同様であるので、その説明を省略する。
【００９１】
なお、本実施の形態においては、ステップＳＨ３で送信される決済結果は、第１実施の形態例と同様に接続子Ｂを介して接続する図１７に示すレジ端末１１のステップＳ４５へ取引番号が添付されて送信される。
また、接続子Ｂを介して接続する図１７に示す携帯電話１のステップＳＫ４６へは決済結果の副本が送信される。
【００９２】
Ｓ４５、レジ端末１１のレジ制御部１２は、通信部１６によって決済結果を受信する。
Ｓ４６、レジ制御部１２は、受信した決済結果に添付されている取引番号によってレジ記憶部１５に格納されている請求情報等と照合して今回のカード決済であることを確認し、決済結果がカード決済を終了した旨であればステップＳ４７へ移行し、決済結果が決済不可の旨であれば接続子Ｇを介してステップＳ４５戻り、再度決済結果の受信を待つ。
【００９３】
その後のステップＳ４７およびステップＳＫ４６、ＳＫ４７の作動は、第１実施の形態例のステップＳ１０およびステップＳＫ７、ＳＫ８の作動と同様であるので、その説明を省略する。
ＳＫ４８、携帯制御部２は、第１実施の形態例のステップＳＫ９と同様にして図９に示す決済結果通知画面を表示し、利用者は表示された内容を確認してＯＫキーを押下する。
【００９４】
ＯＫキーが押下されたことを検知した携帯制御部２は、携帯表示部３に図１８に示す決済結果をレジ端末１１に送信した旨と明細票の受取りを促す旨および「ＯＫ」表示等を表示した明細票受取依頼画面を表示する。
利用者は表示された内容を確認してＯＫキーを押下し、携帯制御部２はこれを検知してステップＳＫ５１へ移行する。
【００９５】
なお、本実施の形態においては、第２実施の形態例と同様に第１実施の形態例のステップＳＫ９において実行される取引カードへの取引履歴の書込は省略される。
その後のステップＳＫ４９〜ＳＫ５１の作動は、第１実施の形態例のステップステップＳＫ１０〜ＳＫ１２の作動と同様であるので、その説明を省略する。
【００９６】
また、カード決済の清算等は上記第１実施の形態例と同様に行われる。
なお、上記ステップＳ４２において、係員が通信識別子として取引番号を利用者に通知するとして説明したが、このカード決済に用いる通信識別子は、利用者の携帯電話１の携帯電話番号または個別番号等を係員と利用者との間で取決め、携帯電話やレジ端末に登録して使用するようにしてもよい。
【００９７】
この場合に、係員は取決めた通信識別子を商品代金入力画面から入力し、レジ制御部１２はこれを取引番号や請求情報と共に格納するようにする。
そして、ステップＳ４４においてレジ制御部１２が請求情報を抽出する際には、格納した通信識別子を検索して請求情報や取引番号を抽出する。
なお、取決めた通信識別子が既に携帯電話および／もしくはレジ端末に登録されている場合は、その通信識別子の登録は省略される。
【００９８】
以上のように、本実施の形態においては、第１および第２実施の形態例の効果に加えて、レジ制御部がレジ記憶部に取引番号に対応させて請求情報を格納し、取引番号を添付した決済結果を受信するようにしたことによって、受信した決済結果と利用者へ送信した請求情報との照合を容易に行うことができる。
このことは、複数の利用者との間で同時にカード決済を行う場合に特に有効であり、利用者の誤認を防止することができる。
【００９９】
なお、本実施の形態においては、係員が通信識別子としてレジ端末が採番した取引番号を利用者に通知し、利用者がこれを手入力するとして説明したが、携帯電話に文字認識機能および／もしくはバーコード読取機能等の光学的読取機能を有するカメラ部を設け、係員がレジ端末の印刷部によって取引番号を印字および／もしくはそのバーコードを記述した請求書またはメモ等の印刷物を印刷して利用者に手渡し、利用者はその印刷物をカメラ部で読取って通信識別子を入力して登録するようにしてもよい。
【０１００】
また、携帯電話の外部接続端子によりレジ端末等と接続し、レジ端末等に記憶されている通信識別子を読込むようにしてもよい。
これによって、通信識別子の入力ミス等によるカード決済時の混乱を防止することができる。
第４実施の形態例
図１９は本発明の第４実施の形態を示すブロック図である。
【０１０１】
なお、上記第１および第２実施の形態例と同様の部分は、同一の符号を付してその説明を省略する。
３１は管理サーバであり、カード決済会社や商店と契約してカード決済を仲介する決済プロバイダに設置されて決済ネットワーク２２と接続しており、契約先のカード決済会社のカード決済会社名とそのコード、取扱手数料等の決済会社情報や契約先の商店の商店名とそのコード、利用可能なカードの種類、取扱手数料、商品代金等の振込先口座等の商店情報等を登録した登録情報ファイルを保有している。
【０１０２】
なお、本実施の形態においては、上記第３実施の形態例と同様に携帯電話１のカード読取書込部８は省略されている。
上記の構成の作用について説明する。
本実施の形態では、決済プロバイダは予め商店およびカード決済会社との間でカード決済システムの利用に関する契約を行っている。
【０１０３】
また、カード決済会社は、ＩＣカードによるデビットカードやクレジットカード等の取引カードを発行しており、通常の利用に供するために取引カードを利用者に供給すると共に契約している決済プロバイダのＵＲＬ（Ｕｎｉｆｏｒｍ  Ｒｅｓｏｕｒｃｅ  Ｌｏｃａｔｏｒ）を利用者に供給し、利用者はそのＵＲＬを携帯電話１の携帯記憶部５に格納している。
【０１０４】
また、カード決済会社は、利用者の顧客情報（暗証番号を除く。）を契約している決済プロバイダに提供し、決済プロバイダはその情報を管理サーバ３１の登録情報ファイルに登録している。
利用者がデビットカードである取引カードを用いて商品代金のカード決済を行うときの作動について、図２０、図２１に示すカード決済処理の流れを示す説明図を用い、ステップに従って説明する。
【０１０５】
なお、ステップ名は第１実施の携帯例のステップ名に加えて決済プロバイダの管理サーバ３１の場合をＳＰで表す。
Ｓ６１、Ｓ６２、上記第３実施の形態例のステップ４１、Ｓ４２の作動と同様であるので、その説明を省略する。
ＳＫ６１、係員から通信識別子としての取引番号を受取った利用者は、携帯電話１の操作部４のテンキー等を用いて通信識別子として取引番号を登録する一方、携帯電話１の携帯記憶部５に格納されている決済プロバイダのＵＲＬを読出し、このＵＲＬを基に送受信部６による電話通信によって携帯中継会社の受付サーバ２５、通信回線２６を経由して決済プロバイダの管理サーバ３１へ接続して登録している取引カードの種類とそのカード情報を問合せる登録カード問合を送信する。
【０１０６】
ＳＰ６１、管理サーバ３１は登録カード問合を受信する。この登録カード問合には電話通信を発信した携帯電話番号の通知（以下、発信者番号通知という。）が添付されている。
なお、発信者番号通知が利用できない場合には利用者は登録カード問合せに携帯電話番号を添付して送信するようにする。
【０１０７】
ＳＰ６２、管理サーバ３１は発信者番号通知によって利用者の携帯電話番号を認識し、これを基に登録情報ファイルの利用者情報を検索して該当する携帯電話番号を特定し、これに対応させて登録されている取引カードの種類とそのカード情報を抽出する。
ＳＰ６３、管理サーバ３１は、抽出したカード情報等を検索結果として通信回線２６、携帯中継会社の受付サーバ２５を経由して電話通信によって携帯電話１へ送信する。なお検索結果は必要に応じて暗号化し、送信するようにしてもよい。
【０１０８】
ＳＫ６２、携帯電話１の携帯制御部２は送受信部６によって検索結果を受信する。
ＳＫ６３、携帯制御部２は携帯表示部３に取引カードの選択を促す旨と取引カードの種類とそのカード識別記号の一覧表および「ＯＫ」表示、「取消」表示等を表示したカード選択画面を表示する。
【０１０９】
利用者はこれに従って、移動キーによってカーソルを移動させ、カード決済に利用する取引カードを選択してＯＫキーを押下する。本実施の形態ではデビットカードが選択される。
ＯＫキーが押下されたことを検知した携帯制御部２は、決済金額等を問合せるために携帯電話１を無線接続モードに切替え、無線通信部９によってレジ端末１１へ取引番号に決済金額の送信要求とカード決済に利用するカードの種類を添付した接続要求を送信する。
【０１１０】
なお、取消キーが押下された場合は、上記第１実施の形態例のステップＳＫ２と同様である。
Ｓ６３、請求情報の格納を終え、携帯電話１からの送信を待つ着信待状態で待機していたレジ端末１１のレジ制御部１２は、無線通信部１８によって携帯電話１からの接続要求を受信したことを契機としてステップＳ６４へ移行する。
【０１１１】
Ｓ６４、レジ制御部１２は、受信した取引カードの種類がカード決済に利用可能であるか否かを判定し、利用できない取引カードであれば接続子Ｈを介してその旨を無線通信によって携帯電話１に送信し、携帯電話１の携帯制御部２はステップＳ６３に戻ってその旨とカード選択画面を表示する。
利用者はカード選択画面から再度取引カードを選択し、上記作動を繰返す。
【０１１２】
カード決済に利用可能な取引カードの場合は、レジ制御部１２は受信した取引番号によってレジ記憶部１５に格納されている請求情報を検索して該当する請求情報を抽出し、取引番号に請求情報を添付して無線通信部１８によって携帯電話１へ送信する。
ＳＫ６４、第３実施の形態例のステップＳＫ４２と同様であるので、その説明を省略するが、図４に示す請求情報画面において、利用可能カードはレジ端末１１が利用可能と判定した取引カードのみが表示される。
【０１１３】
ＳＫ６５、利用者が請求情報を確認してＯＫキーを押下した信号を検知した携帯制御部２は、ステップＳＫ６３で選択した取引カードの種類とそのカード識別記号および「ＯＫ」表示、「取消」表示等を表示する。
利用者は、表示された内容を確認してＯＫキーを押下してカード情報を入力する。なお、取消キーが押下された場合は、上記第１実施の形態例のステップＳＫ２と同様である。
【０１１４】
ＳＫ６６、第３実施の形態例のステップＳＫ４４と同様であるので、その説明を省略するが、図６に示す暗証番号入力画面において、取引カードの種類とそのカード識別記号は、選択されたデビットカードのものが表示される。
ＳＫ６７、第３実施の形態例のステップＳＫ４５と同様であるので、その説明を省略するが、取引番号を添付した決済依頼は、送受信部６によって携帯中継会社の受付サーバ２５、通信回線２６を経由して決済プロバイダの管理サーバ３１のステップＳＰ６４へ送信される。
【０１１５】
ＳＰ６４、管理サーバ３１は決済依頼を受信する。
ＳＰ６５、決済依頼を受信した管理サーバ３１は、受信した決済金額等の請求情報、利用者のカード情報と暗証番号、取引番号および商店情報を検索して抽出した該当する商店の振込先口座の金融機関名や口座番号等により決済情報を作成し、決済ネットワーク２２を経由して接続子Ｉを介して接続する図２１に示す取引カードを発行した銀行等であるカード決済会社のホストコンピュータ２１へ送信する。
【０１１６】
ＳＨ６１、ホストコンピュータ２１は決済情報を受信する。
ＳＨ６２、決済情報を受信したホストコンピュータ２１は、デビットカードによるカード決済を実行する。
すなわち、ホストコンピュータ２１は、決済情報に含まれるカード識別記号等を基に顧客ファイルの顧客情報を検索して該当する顧客情報から利用者が登録した暗証番号を抽出し、受信した暗証番号と登録されている暗証番号との一致を照合して利用者を顧客と認証する。
【０１１７】
利用者を顧客と認証したホストコンピュータ２１は、カード情報を基に利用者の口座を特定し、決済金額を利用者の口座から引落し、決済情報に添付されている商店の振込先口座へ入金（振込先の金融機関が他の銀行等の場合は、その銀行等に振込依頼を行って入金）してカード決済を行う。
なお、上記ステップＳＫ６７において携帯中継会社の受付サーバ２５が決済依頼を決済プロバイダへ送信する際に、発信者番号通知を添付して送信するようにしてこれを管理サーバ３１がカード決済会社のホストコンピュータ２１へ送信し、これを用いてホストコンピュータ２１が発信者、つまり利用者の正当性を確認するようにしてもよい。これによってカード決済の利用者認定の確実性を増すことができる。
【０１１８】
ＳＨ６３、カード決済の実行が終了すると、ホストコンピュータ２１は決済結果をカード決済履歴として該当する利用者の顧客情報に格納すると共に、カード決済を終了した旨を決済結果として決済ネットワーク２２を経由して接続子Ｊを介して接続する図２０に示す管理サーバ３１のステップＳＰ６６へ送信する。
暗証番号が一致しない場合や顧客の利用金額が預金額を超えている場合等の送信されたカード情報によってはカード決済ができない場合は、決済不可の旨にその理由等を添付し、これを決済結果として管理サーバ３１へ送信する。
【０１１９】
ＳＰ６６、決済結果を受信した管理サーバ３１は、受信した決済結果をカード決済履歴として該当する利用者の顧客情報に格納すると共に、取引番号を添付した決済結果を決済ネットワーク２２を経由して接続子Ｋを介して接続するレジ端末２１のステップＳ６６へ転送する。
これと同時に、管理サーバ３１は携帯電話１の携帯メールアドレス宛に通信回線２６、携帯中継会社の受付サーバ２５を経由して携帯電話１のステップＳＫ６８へ決済結果の副本を送信する。
【０１２０】
また、顧客情報に登録されている利用者の自宅の電子メールアドレス宛に決済結果の控えを送信する。
なお、決済プロバイダの管理サーバ３１にカード決済履歴を格納することによって、利用者は決済プロバイダからもカード決済履歴を取得することが可能となる。
【０１２１】
その後のステップＳ６６〜Ｓ６８およびＳＫ６８〜ＳＫ７３の作動は、第３実施の形態例のステップＳ４５〜Ｓ４７およびＳＫ４６〜ＳＫ５１の作動と同様であるので、その説明を省略する。
以上のように、本実施の形態においては、第３実施の形態例の効果に加えて、決済プロバイダが、利用者の取引カードのカード情報や決済会社情報、商店情報を管理することによって、カード決済を行うカード決済会社のホストコンピュータの記憶容量等の負荷を軽減できると共に、決済プロバイダは情報維持管理手数料等の収入を得ることができる。
【０１２２】
また、利用者がカード決済に使用する取引カードのカード情報を事前に決済プロバイダに登録し、これを携帯電話から問合せて表示し選択するようにしたことによって、携帯電話へのカード読取書込部の設置を省略でき、携帯電話の簡素化を図ることができると同時に、携帯記憶部へカード情報を格納する必要がなくなり、カード決済会社の作業負荷を軽減することができると共に携帯電話の買い替え等の場合のカード情報の漏洩を防止することができる。
【０１２３】
このことは、取引カードの種類やカード情報の読取方法に依存しないカード決済システムの構築に更に貢献することができる。
更に、利用者がカード決済に使用する取引カードの種類を携帯電話からレジ端末へ送信して確認するようにしたことによって、商店はカード決済に使用される取引カードを事前に知ることができ、商店のそのカード決済に対する安心感を高めることが可能となる。
【０１２４】
更に、利用者が使用する取引カードが利用可能なときに、レジ端末が決済金額等の請求情報を添付して返信するようにしたことによって、カード決済の処理効率を向上させることができる。
なお、決済結果のレジ端末への送信は、第３実施の形態例と同様にカード決済会社のホストコンピュータ２１が直接レジ端末１１へ送信し、決済プロバイダへは決済結果の副本を送信するようにしてもよい。
【０１２５】
これによって、カード決済の決済結果の送信に要する時間が短縮でき、カード決済業務の効率化を図ることができる。
また、ステップＳＨ６３において決済結果の副本や控の送信は、第３実施の形態例と同様にカード決済会社が決済結果を管理サーバへ送信する際に同時にそれぞれに向けて送信するようにしてもよい。
【０１２６】
本実施の形態の決済プロバイダは、上記第１、第２、第３実施の形態例においても同様に設けることができ、本実施の形態の決済プロバイダと同様の効果を得ることができる。
この場合に、第２実施の形態のステップＳＫ２３において携帯電話の携帯記憶部に登録されたカード情報の読出しを行う際に、上記ステップＳＫ６１で説明した決済プロバイダへの登録カードの問合せを行い、カード情報を取得するようにしてもよい。
【０１２７】
この時、第２実施の形態例のステップＳＫ２３〜ＳＫ２５の作動において、携帯電話１の携帯表示部３に表示する図１４や図６、図１５等の画面は、決済プロバイダの管理サーバ３１に格納されているウェブページ等によって入力を含めて行うようにしてもよい。
これによって、携帯記憶部に格納されるカード情報やそれぞれの画面データを省略することができ、携帯記憶部の記憶容量を軽減することができる。
【０１２８】
また、ステップＳＫ４３における利用可能およびカード決済に利用できない取引カードの種類の表示は、携帯制御部が登録カード問合を送信する際に商店のコード等を添付して送信し、管理サーバが登録情報ファイルの商店情報から該当する商店に登録されている利用可能な取引カードの種類と照合してこれを検索結果に含めて送信して表示するようにしてもよい。これによって、携帯電話の処理負荷を軽減することができる。
【０１２９】
更にこの場合に、第２実施の形態例においては、ステップＳ２４で請求情報を送信する際に、決済プロバイダのＵＲＬを請求情報に添付して携帯電話へ送信するようにする。
また、第１実施の形態例においては、取引カードに決済プロバイダのＵＲＬを記録しておき、ステップＳＫ５でカード情報を入力する際に、そのＵＲＬを読込んでステップＳＫ５のカード情報を送信するときに決済プロバイダのＵＲＬを添付して送信するようにし、レジ端末から決済プロバイダへ決済依頼を送信するようにする。
【０１３０】
この取引カードに決済プロバイダのＵＲＬを記録するようにすることによって、利用者の入力ミス等によるカード決済の混乱を防止することができると共に、利用者の決済プロバイダの正当性への不安を解消することができる。
なお、上記各実施の形態例においては、利用者がカード情報を入力する装置は携帯電話であるとして説明したが、携帯情報端末等の携帯端末あってもよい。
【０１３１】
この場合に、携帯端末にはレジ端末との無線または有線による通信機能および決済プロバイダやカード決済会社との電話またはインターネット等の有線による通信機能を追加して装備するようにする。
また、第１実施の形態例で示したカード読取書込部またはカード読取部の機能を装備するようにしてもよい。
【０１３２】
更に、携帯電話とレジ端末との通信は無線または有線による通信で行うとして説明したが、電話通信を経由して行うようにしてもよい。これによって第２形態例等のカード情報の入力方法と併用すれば、通常の携帯電話によって本発明のカード決済システムを実現することができる。
更に、上記各実施例で説明した技術要素を、他の実施例おいて用いるようにすれば、その実施例においてその技術要素の効果を付加することができる。
【０１３３】
以上説明したように、本発明のカード決済システムは、利用の普及が拡大している携帯電話等の携帯端末を用い、商店の新規投資を抑制しつつ多くの取引カードに対応したカード決済システムを実現することができ、商店のカード決済システムへの参加を促進することができると共に利用者のカード決済の機会を増大させ、結果としてカード決済会社や決済プロバイダの手数料収入の増大を図ることができる。
【０１３４】
【発明の効果】
以上述べたように、本発明は、取引カードのカード情報の入力を利用者が使用する携帯電話によって行うようにしたことによって、第３者の不正利用を未然に防止することができると共に利用者の不安感を解消して安心感のあるカード決済を行うことができるという効果が得られる。
【０１３５】
また、携帯電話にカード情報を入力し、これをレジ端末へ送信するようにしたことによって、商店では新たなカードを含む多くの取引カードへの対応を容易に行うことができる。
【図面の簡単な説明】
【図１】第１実施の形態を示すブロック図
【図２】第１実施の形態のカード決済処理の流れを示す説明図１
【図３】第１実施の形態のカード決済処理の流れを示す説明図２
【図４】第１実施の形態の請求情報画面表示例
【図５】第１実施の形態のカード情報入力画面表示例
【図６】第１実施の形態の暗証番号入力画面表示例
【図７】第１実施の形態の決済確認画面表示例
【図８】第１実施の形態の待機依頼画面表示例
【図９】第１実施の形態の決済結果通知画面表示例
【図１０】第１実施の形態の決済不許可画面表示例
【図１１】第２実施の形態を示すブロック図
【図１２】第２実施の形態のカード決済処理の流れを示す説明図１
【図１３】第２実施の形態のカード決済処理の流れを示す説明図２
【図１４】第２実施の形態のカード情報入力画面表示例
【図１５】第２実施の形態の待機依頼画面表示例
【図１６】第２実施の形態の明細票受取依頼画面表示例
【図１７】第３実施の形態のカード決済処理の流れを示す説明図
【図１８】第３実施の形態の明細票受取依頼画面表示例
【図１９】第４実施の形態を示すブロック図
【図２０】第４実施の形態のカード決済処理の流れを示す説明図１
【図２１】第４実施の形態のカード決済処理の流れを示す説明図２
【符号の説明】
１    携帯電話
２    携帯制御部
３    携帯表示部
４    操作部
５    携帯記憶部
６    送受信部
７    通話部
８    カード読取書込部
９    無線通信部
１１  レジ端末
１２  レジ制御部
１３  レジ表示部
１４  入力部
１５  レジ記憶部
１６  通信部
１７  印刷部
１８  無線通信部
２１  ホストコンピュータ
２２  決済ネットワーク
２５  受付サーバ
２６  通信回線
３１  管理サーバ
【図１】
2004252588.tif 000003
【図２】
2004252588.tif 000004
【図３】
2004252588.tif 000005
【図４】
2004252588.tif 000006
【図５】
2004252588.tif 000007
【図６】
2004252588.tif 000008
【図７】
2004252588.tif 000009
【図８】
2004252588.tif 000010
【図９】
2004252588.tif 000011
【図１０】
2004252588.tif 000012
【図１１】
2004252588.tif 000013
【図１２】
2004252588.tif 000014
【図１３】
2004252588.tif 000015
【図１４】
2004252588.tif 000016
【図１５】
2004252588.tif 000017
【図１６】
2004252588.tif 000018
【図１７】
2004252588.tif 000019
【図１８】
2004252588.tif 000020
【図１９】
2004252588.tif 000021
【図２０】
2004252588.tif 000022
【図２１】
2004252588.tif 000023